(57)【特許請求の範囲】
【請求項１】
ポールシャフトを収容するポール枠を有するポール用バスケットにおいて、
バスケット領域がほぼ硬質の板で設計され、ポール軸の周りを自由に回転でき、傾斜軸の周りに１５０°の角度範囲で傾けることができるようにジョイントで固定され、
ポール枠のジョイントが、対向する２つの軸から外れるジョイントスリーブと、内部バスケットに固定された対向する２つの円形ジョイント板を有し、２つのジョイントスリーブの少なくとも１つが、他方のジョイントスリーブの方向に開いた開口環状溝を有し、対向する２つの円形ジョイント板のそれぞれのほぼ半分が、バスケット領域により形成されるバスケットのいずれかの側にほぼこの面に対してほぼ直角に延びることを特徴とする、ポール用バスケット。
【請求項２】
硬質要素を互いの中で及び／又は互いの上でスライドし及び／又は回るように配置することにより、硬質要素を介してポールバスケットのポール軸及び／又は傾斜角に対する動作能力が確保されていることを特徴とする請求項１に記載のポール用バスケット。
【請求項３】
ポールシャフトに固定されるポール枠が、内部バスケットに備えられるジョイント開口に係合し、内部バスケットが、ポール軸に対し、ポール枠の周りを自由に回転できるように備えられることを特徴とする請求項１又は２に記載のポール用バスケット。
【請求項４】
ジョイント開口が楕円形、卵形、多角形又は長方形であり、角を丸くすることもできることを特徴とする請求項３に記載のポール用バスケット。
【請求項５】
ジョイント板の直径が、ポール枠にある２つのジョイントスリーブの間の軸方向の間隔よりもわずかに小さく、開口環状溝の方に向いている２つのジョイント板の少なくとも半分が環状溝に係合し、特に好ましくは、バスケット面から始まり環状溝の方を向く２つのジョイント板の少なくとも半分が、環状溝の幅よりもわずかに小さい幅を有することを特徴とする請求項１〜４のいずれかに記載のポール用バスケット。
【請求項６】
少なくとも一方の側で、好ましくは放射状外側で、環状溝が丸い又は角ばった隆起部によって形付けられることを特徴とする請求項１〜５のいずれかに記載のポール用バスケット。
【請求項７】
異なる外径の外部バスケットリングを取り付けることができ、硬質材料からなる内部バスケットを有することを特徴とする請求項１〜６のいずれかに記載のポール用バスケット。
【請求項８】
外部バスケットリングを内部バスケットに取り外し可能に固定することができることを特徴とする請求項７に記載のポール用バスケット。
【請求項９】
外部バスケットリングをポール軸に沿った軸方向で内部バスケットに取り付けることができ、バスケット面における回転動作により内部バスケット内に係止し及び／又は内部バスケット上に固定することができることを特徴とする請求項７又は８に記載のポール用バスケット。
【請求項１０】
外部バスケットリングが内部バスケットに自己係止動作により固定することができることを特徴とする請求項７〜９のいずれかに記載のポール用バスケット。
【請求項１１】
外部バスケットリングが、ロックの目的で、内部バスケットの切り抜き部に係合する又はその逆の係合要素を少なくとも１つ有することを特徴とする請求項７〜１０のいずれかに記載のポール用バスケット。
【請求項１２】
内部バスケット及び／又は外部バスケットリングが、ほぼバスケット面内に放射状スポークを有することを特徴とする請求項７〜１１のいずれかに記載のポール用バスケット。
【請求項１３】
内部バスケットと外部バスケットリング両方が放射状スポークを有する場合に、外部バスケットリングの放射状スポークが内部バスケットの放射状スポークの延長であることを特徴とする請求項１２記載のポール用バスケット。
【請求項１４】
少なくとも１つのスポークは、少なくとも１つのガイドとロック装置を有し、外部バスケットリングを取り付けた後に、外部バスケットリングを固定するためにガイドに沿って動かせることができることを特徴とする請求項１２又は１３に記載のポール用バスケット。
【請求項１５】
内部バスケットがその外周に沿って、内部バスケット突片の少なくとも一方の側に形成される少なくとも１つの溝を有し、外部バスケットリング突片を溝に押し込み、回転動作で係止すること又はその逆ができることを特徴とする請求項７〜１４のいずれかに記載のポール用バスケット。
【請求項１６】
外部バスケットリングが、バスケット領域により形成されるバスケット面に対して放射状又は直角に突出する少なくとも１つのピンを有し、内部バスケットが、ピンが係合することができる外周切り抜き部を有することを特徴とする請求項７〜１１のいずれかに記載のポール用バスケット。
【請求項１７】
ピンが、直径がピン本体の直径よりも大きいピンヘッドを有し、特に、内部バスケット上の外周切り抜き部が、ピンヘッドの直径よりもわずかに大きい直径のホールを有し、内部バスケットの外周方向でホールがまとまって、幅がピンヘッドの直径よりも小さいがピン本体の直径よりもわずかに大きいスロットになることを特徴とする請求項１６に記載のポール用バスケット。
【請求項１８】
傾斜角がポール軸に対してほぼ直角に配置されることを特徴とする請求項１〜１７のいずれかに記載のポール用バスケット。
【請求項１９】
バスケット領域が、傾斜軸の周りに１００〜１２０°の角度範囲で傾けることができるように固定されることを特徴とする請求項１〜１８のいずれかに記載のポール用バスケット。
【請求項２０】
ポールバスケットがスキーポールバスケットであり、特にクロスカントリースキー用のバスケットであることを特徴とする請求項１〜１９のいずれかに記載のポール用バスケット。
【発明の詳細な説明】
【技術分野】
【０００１】
本発明は、ポールシャフトを収容するポール枠を有し、特に種々の傾斜面に適合し、好ましくは種々の使用状態に大きさで適合するポール用、特にスキー用、クロスカントリースキー用及び／又はトレッキングのポール用バスケットに関する。
【背景技術】
【０００２】
ポールバスケットの一般的な役割は、下面からの発進にポールを用いる場合、下面、地面又は雪層に一定の深さ及び制御された状態で、ポールが差し込まれることを確保することである。ポールに軸状に固定されるポールバスケットの高さは、差し込み深さを決定する。
【０００３】
このようなバスケットに今日まで用いられてきた材料の特定の例には、ＰＥやＰＣ等のプラスチックばかりでなく、ゴム又は塩化ビニルも含まれる（例えば特許文献１）。
【０００４】
早期の実施形態は、ポールを囲むスリーブ／ポール枠に、例えば皮革のような柔軟材料で作られた放射状スポークによって固定される金属リングを有し、これは下面の性質及びポール軸に対するポールバスケット面の配置について柔軟性を与えた。
【０００５】
従来技術はポールバスケットを改良する多様なアプローチを含む。特許文献２は、ベースバスケットに取り付けられ、その後部でバスケットを拡大する種々の周辺パーツと、バスケット面領域の変化によって様々な積雪状態に適合できる非対称スキーポールバスケットを記載する。
【０００６】
特許文献３の基礎となる発明は、異なる大きさの互換性バスケットをスキーポールに沿って異なる軸位置に固定できる機構を開示する。
【０００７】
特許文献４も同様に、異なる大きさの互換性バスケットを、取り外し可能にスナップ機構で容易に固定できるスキーポール上の構造を記載する。
【０００８】
特許文献５も同様に、スキーポールに異なる大きさの互換性バスケットを固定する可能性を記載する。この発明の中核は特にスキーポールバスケットとスキーポール間に形成された角度、弾性ねじり要素及びバスケットの非対称性である。
【０００９】
柔軟性のない材料から製造されるポールバスケットの不利な点は、ポールバスケットが下面の傾斜（例えば、クロスカントリースキーでの坂傾斜）に適応できないということである。しかしながら、ポールバスケットがこの適応能力を有する、例えば熱可塑性物質等の柔軟材料から製造される場合は、スキー場ではほとんどそうであるが、低温において比較的長時間冷気にさらされるとこれらは程度の差こそあれ完全に硬くなるという不都合がある。さらに、特に柔軟に設計された領域はもろく通常破損しがちである。一方、ポールバスケットがこのような柔軟材料から形成される場合、ポールを使用するのに必要な力を下面に最適に伝達することができない。ポールが正しい位置になく下面に対して直角に差し込まれないと、発進力は減弱し、ポールを介する地面との接触は制御を失う。
【先行技術文献】
【特許文献】
【００１０】
【特許文献１】ＤＥ  ２０４２１３４
【特許文献２】ＵＳ  ４２２１３９２
【特許文献３】ＵＳ  ４６６９７５２
【特許文献４】ＵＳ  ４３８５７７６
【特許文献５】ＵＳ  ４３３６９４９
【発明の概要】
【発明が解決しようとする課題】
【００１１】
本発明の目的は、従来技術から生じた不都合を解消し、特に様々な坂の傾斜、さらに好ましくは様々な積雪状態に適応することができる改良ポールバスケットを開発することである。これら２つの性質は特にクロスカントリースキーにおいて重要であり、また例えばトレッキング等にも有益である。
【課題を解決するための手段】
【００１２】
この目的は、ポールシャフトを収容するポール枠を有するポール用バスケットにより達成される。本発明のポールバスケットは以下により特徴付けられる：ポールバスケットはバスケット領域を有し、バスケット領域は本質的に（ほぼ）硬質で、すなわち柔軟性（可撓性）がなく硬い板として設計され、ポールの長軸の周りを自由に回転でき、ポール軸に対してほぼ直角である傾斜軸の周りを通常１５０°の角度範囲で傾けることができるようにジョイントで固定される。このように硬質のバスケットは２つの軸の周りを回転できる。ほぼポール軸に沿って配置される第１軸について、この第１軸の周りに自由回転性を備える。さらに、ポールバスケットは、例えば上記の坂傾斜に適合できるように、第２軸の周りに傾けられるように取り付けられる。第２軸に対する所定の角度幅は、ポール枠又はジョイントが許す範囲でより大きくすることもできる。このように本発明の核芯は、特に硬質材料からバスケットを形成し、ジョイント又は可動接続要素によりほぼ２つの軸の周りに固くではなくむしろ柔軟にこの硬質バスケットをスキーポールに取り付け、柔軟材料ではなくバスケット板とスキーポール間のジョイント接続により、坂傾斜に対して柔軟性を得ることである。
【００１３】
ジョイントによって２つの軸に対する動作能力を備えることが、必要な要素である。本発明のジョイントは、上記の２つの軸に対する動作能力を与える成分又は要素として理解され、ジョイントによって接続された要素間の材料の接続なしで２つの軸に対する動作能力が確保される。すなわちジョイントは動作能力を与える柔軟な領域（例えばフィルムヒンジ）を有さず、むしろプロセス中に、変形なしで、互いにスライドし又は互いに回る個々の要素を有する。
【００１４】
硬質な性質と、その結果としての安定性にもかかわらず、ポールバスケット及びポール自身が様々な坂傾斜に適合できる点が本発明の効果である。これは、発進時（pushing-off）のポールへの力伝達を改善する。さらに、ポールにおけるポールバスケットの柔軟性と動きは同時に、ポールバスケットに最終的に残る雪を連続的に振り落とす。ポールバスケットをほぼ硬質の板として形成するために、例えば熱可塑性材料又は金属、種々のプラスティック、繊維強化プラスティック、繊維複合材料等の組み合わせを用いることもできる。可能な材料の例はポリアミド、ＰＥ、ＰＰ、ＰＶＣ及びＰＣである。
【００１５】
第１の好ましい実施形態は、ポール軸及び／又は傾斜軸に対するポールバスケットの動作能力が、硬質要素を介して、互いの中で及び／又は互いの上で回転及び／又はスライドするように配置された硬質要素によって確保されていることを特徴とする。言い換えれば、ジョイントは互いに回転又はスライドする要素によって２つの軸に対する動作能力を与える領域又は要素をそれぞれ有する。
【００１６】
ポールシャフトに固定されたポール枠は、内部バスケットが（ポールシャフトに回転可能に取り付けられた）ポール枠の周りをポール軸に対して回転できるように、好ましくは内部バスケットに配置されたジョイント開口内に入る。言い換えれば、ポール枠が係合するこのジョイント開口は第１軸の周りの回転能力を与える。
【００１７】
本発明のさらなる好ましい実施形態によれば、ジョイント開口は好ましくは楕円形の開口であるが、卵形、多角形又は長方形でもよく、丸い角を有してもよい。この細長い構造は第２軸の周りに傾けるのに有利である。十分に傾けたとき、ポール枠の好ましくは円形又は円筒形の外面が開口の端に最適に位置し終わるため、卵形又は楕円形が特に好ましい。
【００１８】
別の方法として及び／又は加えて、ポール枠上のジョイントが、対向する２つの軸から外れたジョイントスリーブと、内部バスケットに配置され、対向する２つの円形ジョイント板を有し、２つのジョイントスリーブの少なくとも１つは、他方のジョイントスリーブに向いて開いた環状溝を有することが可能であり、好ましい。ジョイント板は内部バスケットと一体成形することもできるし、少なくとも１つのジョイントスリーブとポール枠を一体成形することもできる。２つの対向するジョイント板それぞれのほぼ半分は、好ましくはバスケット領域により形成されるバスケット面のいずれかの側に延び、この面に対してほぼ直角である。バスケット面は、硬質板とほぼ平行に形成される。好ましくは、ジョイント板の２つの対称軸は同一直線状に配置され（通常は第１軸に対してほぼ直角である）、２つの軸の周りに可能な限り滑らかに動く能力を確保するために第１軸又はジョイント開口の対称軸がこの対象軸と交差するように、２つのジョイント板は平行面に対向して位置し、上記のジョイント開口は２つのジョイント板の間に配置される。バスケット面からほぼ直角に突出するジョイント板の部分的円形面が、ジョイント板領域で内部バスケットの厚みによって切断され、バスケット面の両側に延びるジョイント板の半分が基本的に円状部分であるため、硬質内部バスケットはジョイント板とジョイント板の中央で交差する。
【００１９】
ジョイント板の直径が、ポール枠の２つのジョイントスリーブ間の軸方向間隔よりもわずかに小さく、好ましくは０．１〜３ｍｍ以下、好ましくは０．２〜１．５ｍｍ小さいことが特に有利である。ジョイントスリーブ間の軸方向間隔は開口環状溝のベース（又はほぼ最下領域）と、この環状溝ベースに向いた他のスリーブの面の間の間隔である。両方のスリーブが溝を有する場合、又は両方がベースを有する場合、ジョイントスリーブ間の軸方向間隔は、２つの軸から外れた環状溝のベース間の間隔である。
【００２０】
好ましい実施形態は、開口環状溝の方向を向く２つのジョイント板の少なくとも半分が、環状溝に係合し、特にバスケット面から始まり環状溝の方を向く２つのジョイント板の少なくとも半分部分が、環状溝領域の大きさ又は幅よりやや小さく、好ましくは０．１〜３ｍｍ、好ましくは０．２〜１．５ｍｍ小さい幅を有することで特徴づけられる。
【００２１】
環状溝は例えば角ばった、又は丸いＵ形の溝又はＶ形の溝等の様々な形状にすることができ、スライド動作中の摩擦を可能な限り小さくするために、ジョイント板の環状端は好ましくは対応した形状にする。環状溝は、少なくとも一方の側は、好ましくは丸い又は角のある構造の隆起部によって形付けられ、ジョイント板の幅の差は環状溝の幅よりも小さく、それはジョイント板が隆起部とポール枠の側面間の環状溝に係合することがちょうど可能な程度である。
【００２２】
ポールバスケットのさらに好ましい実施形態は、硬質材料からなり、異なる外径の外部バスケットリングを取り付けることができ、好ましくは取り外し可能に取り付けられる内部バスケットを有する。これら外部バスケットリングは好ましくは内部バスケットとちょうど同じ硬さで設計され、好ましくは同一材料で製造される。内部バスケットを外部バスケットリングと異なる色にすることも可能であり、異なる大きさの外部バスケットリングを異なる色及び／又は異なる模様にすることも可能である。上記のジョイントと組み合わせることなく、原則として外部バスケットリングは互換性を有していてもよい。外部バスケットリングは、種々の可能な方法で、好ましくは簡単で強い係止機構により内部バスケットに取り付けることができ、好ましくは簡単で強い係止解除機構で内部バスケットから取り外すことができる。
【００２３】
特に、ポール軸に沿った軸方向で、内部バスケットに外部バスケットを取り付けることができる設計や、バスケット面でポール軸の周りに回転させて外部バスケットを内部バスケットに固定することができる設計にすることも可能である。例えば、対応する突片又は他のガイド及び／又は係止手段の長さ及び／又は幅及び数によって、回転動作は好ましくは約３〜３０°の角度範囲にすることができる。バヨネット閉鎖とも言われるこのようなプラグイン回転固定機構は他の技術分野で公知であり、また、例えば留め金を解放した後に閉鎖を再び開けることができるように、さらに留め金を有してもよい。
【００２４】
他の方法として又は加えて、外部バスケットリングを内部バスケットに自己係止動作で固定することができるように構成することも可能である。
【００２５】
さらに、外部バスケットリングがその外周領域で下側に歯構造を有することが好ましい。この歯構造はバスケットが下面に対して良好に密着することを可能にする。
【００２６】
他の実施形態において、外部バスケットリングは、ロックの目的で、内部バスケットの切り抜き部に、特に後者の外周で係合する少なくとも１つの係合要素、好ましくはピンを有し、内部バスケットの係合要素が外部バスケットリングの切り抜き部に係合することも可能であるため逆も同様である。係合要素は好ましくはバスケット領域により形成されるバスケット面に対して直角に突出する。別の方法として、係合要素及び対応する切り抜き部が半径方向を向くことも可能である。
【００２７】
この実施形態では、ピンが、ピン本体の直径よりも大きい直径のピンヘッドを有し、特に、内部バスケット又は外部バスケットそれぞれの外周切り抜き部が、ピンヘッドの直径よりもわずかに大きい直径のホールを有し、バスケット領域の外周方向にホールがまとまって、ピンヘッドの直径よりも小さいがピン本体の直径よりもわずかに大きい幅のスロットになることが特に好ましい。
【００２８】
さらに好ましい実施形態では、好ましくは、内部バスケットと外部バスケットリングの両方が放射状スポークを有する場合、外部バスケットリングの放射状スポークがほぼ内部バスケットのスポークの延長部を構成するように、内部バスケット及び／又は外部バスケットリングがほぼバスケット面に放射状スポークを有する。特に、外部バスケットリングをロックするために、少なくとも１つのスポークが、少なくとも１つのガイドとロック装置を有し外部バスケットリングを取り付けた後にロック装置をガイドに沿って動かせることが好ましい。例えば係止又は回転したロック要素により、外部バスケットリングを内部バスケットリングに固定することができ、外部バスケットリングは内部バスケットに対して回転できなくなる。
【００２９】
好ましくは、内部バスケットがその外周に沿って、内部バスケット突片の少なくとも１つの側を形成する溝を有し、外部バスケットリング突片がその溝に押し込まれ、回転動作によって係止される。外部バスケットがこのような溝を外周に沿って有し、内部バスケット突片が回転動作により押し込まれ、係止される機能的に同一の機構も備えることができる。
【００３０】
傾斜軸は、好ましくはポール軸に対してほぼ直角である。通常、バスケット領域は、傾斜軸の周りに約１００〜１５０°の角度範囲で傾斜できるように固定される。純粋に論理的に、最大傾斜角は１８０°であるが、ジョイント要素、特にジョイントスリーブと環状溝の形状と材料のような技術的構造がこの角度を制限する。ポールバスケットは通常約４０〜６０°以下まで坂傾斜に効果的に適合する。従って、ポールバスケットが傾斜軸の周りに傾くことができる角度範囲は約１００°である。最も傾斜した状態で、ジョイントスリーブは通常ジョイント板とバスケット面両方と接触する。
【００３１】
特に好ましい実施形態において、上記のポールバスケットはスキーポールバスケット、特にクロスカントリースキー用バスケットである。
【００３２】
本発明の範囲の他の可能な実施形態を以下に示す。
【００３３】
ポールシャフトを包含し、ポール軸の周りを自由に回転できるボールをほぼ含む装置によって、回転／傾斜機構を達成することもできる。又は他の方法として、ポールシャフトに固定するが軸方向には動かせず、ボールの周りに係合する面上で、枠スリーブがボールとほぼ同一の半径を有してポールバスケットに固定された枠スリーブによって押し付けられる。このように、ポールバスケットがポール軸の周りを自由に回転でき、傾斜軸に対して約１５０°、実際には約１００°の角度範囲で自由に傾くことができる。ポールが挿入されている場合、３６０°にわたるポールのほぼ円錐回転動作が可能となる。
【００３４】
さらに、外部バスケットリングの他の係止機構も可能である。例えば、ポールシャフトの周りを回転可能であるが軸方向に固定されたポール枠が、少なくとも２つのフランジ／係合要素を有し、傾斜動作のために対応する切り抜き部を有する内部バスケットがそこに取り付けられることで回転能力を備えることができる。同様に、ポールシャフトの周りを自由に回転できるが軸方向に固定され、２つの対向する同一直線上の軸を介した動作のためにバスケットが取り付けられるポール枠を備えることも可能である。
【図面の簡単な説明】
【００３５】
【図１】外部バスケットリングが取り付けられた状態のポールバスケットを示す図である。ａ）は斜視図であり、ｂ）は下からのポールバスケットの図であり、ｃ）は内部バスケット、外部バスケットリングが取り付けられた状態で、バスケット面に平行で、ロック要素が手前に向いているポールバスケット側面図であり、ｄ）は図１ｃを９０°回転した図であり、ｅ）は図１ｃを１８０°回転した図であり、ｆ）は図１ｃを２７０°回転した図であり、ｇ）は上からのポールバスケットの図であり、ｈ）は図１ｃの面Ａ−Ａの断面図であり、ｉ）は図１ｄの面Ｂ−Ｂによる断面図である。
【図２】外部バスケットリングが取り付けられていない状態の内部バスケットの斜視図である。
【図３】外部バスケットリングの斜視図である。
【図４】ポールバスケットの他の例示の実施形態を示す。ａ）は係合要素を有する外部バスケットリングの斜視図であり、ｂ）は図４ａのピンの概略斜視図であり、ｃ）は切り抜き部を有する内部バスケットの概略図であり、ｄ）は図４ｃの切り抜き部の概略図である。
【図５】ａ）〜ｈ）は、ポール軸を通る放射方向断面で見られる環状溝の可能な実施形態の概略図である。
【図６】他の例示の実施形態の概略図を示し、ポールバスケットが傾斜軸に対して傾けられている。
【発明を実施するための形態】
【００３６】
本発明を、図面とともに例示の実施形態により以下に詳細に説明する。図は本発明の可能な実施方法を支持し示すために用いるが、導入部と特許請求の範囲で定義される発明の一般的概念を限定するものではない。
【００３７】
図１ａ〜１ｉ、図２及び図３はポールバスケットの第１の例示の実施形態を示す。この例示の実施形態は、ほぼ円形の内部バスケット２及びそこに取り付けられるほぼ環状の外部バスケットリング３を有するポールバスケット１を含み、係合構造を備える外部バスケットリング３の内径は、内部バスケット２の外径とほぼ等しい。内部バスケット２と外部バスケットリング３の両方とも非円形であってもよく、例えば星形又は非対称形であってもよい。外部バスケットリング３の内周は好ましくは内部バスケット２の外周の形に適合する。
【００３８】
ポールバスケット１はジョイント領域４及びバスケット領域２，３を含む。バスケット領域は、円形ジョイント板１５が側面にあるジョイント開口１７を有する内部バスケット２を有する。開口７を通してポールシャフト（図示せず）を収納するジョイントスリーブ６を有するポール枠５は、このジョイント開口１７の中を通る。放射状スポーク９は好ましくはバスケット領域２，３により形成されるバスケット面にほぼ星形で設けられるが、この配置でなくてもよい。スポーク９は、例えば図１ａ，ｃ，ｄ〜ｇ及び図３に示されるように、外部バスケットリング３の外周１４まで、放射状に延長することもできる。
【００３９】
ポールシャフトに固定されるポールバスケットがポール枠５に対して動く／傾く能力は、ジョイント板１５及びジョイント開口１７の形状と直径によってほぼ限定される。図１ｃ〜ｆで特によく分かるように、同軸上、平行面で互いに対向して位置する２つのジョイント板１５は、バスケット領域２，３により形成され、バスケット領域２，３にほぼ平行なバスケット面に対してほぼ直角に形成され、図１ｃ〜ｆ，１ｈ及び１ｉに示されるように、それぞれのジョイント板の半分がバスケット面の両側に延びている。
【００４０】
ポールバスケット１が傾くと、ジョイント板１５がその円弧／円周によって、ポール枠５のジョイントスリーブ６に沿ってスライドする。このとき、バスケット面側に延びるジョイント板１５の少なくとも２つの円形部分が環状溝８に係合する。円形部分はバスケット面側で延び、円形部分で、ジョイントスリーブ６は、対向するジョイントスリーブ６の方に向いた開口環状溝８と共に、固定される。ジョイント板１５は常にジョイントスリーブ６の環状溝８に位置する。ジョイント板１５は、好ましくは、ジョイント板１５の安定性を高めるために、放射状に外側に凹んでいるボール領域として設計される。ジョイント４についても同様である。
【００４１】
ジョイント板１５の内面はジョイント枠５にわずかな距離だけ離れてゆるく当接する。従って、内部バスケット２はポール軸Ａ及びポール枠５の周りを自由に回転できる。このため、同時に、ポール枠５にあるポールバスケット１がポール軸Ａの周りを自由に回転することができ、ポール軸Ａに対してほぼ直角にある傾斜軸Ｂに対して傾くことが可能となる。
【００４２】
例えば図１ａの場合のように、内部バスケット２及び外部バスケットリング３に、軽量化のための切り抜き部１６を設けることもできる。ジョイントスリーブ６も軽量化のために材料切り抜き部を有することができ（図１ａ〜ｇ及び図２に示す）、ジョイント板１５も同様である（図１ａ，ｃ〜ｆ及び図２）。
【００４３】
図１ｈより、ポール枠５は固定（トップ）ジョイントスリーブ６と一体形成され、一方、内部バスケット２は、製造中又は組立中にそれぞれ（ジョイントスリーブ６なしで）ポール枠５の自由底端に軸方向に取り付けられる分離部品である。このとき、内部バスケット２に外部バスケット３を取り付けてもよいが、ジョイント板１５は常に内部バスケット２に固定する。組み立てでは、その後第２のジョイントスリーブ６を同様に自由端に取り付ける。ポール枠５は、ジョイントスリーブ６がねじ込み接続又は係止（歯構造、ねじ山）によりポール枠５に取り付けられるような構造を自由端に有する。図１ｄより、組立中に第２のジョイントスリーブとして取り付けられるジョイントスリーブ６は、ジョイントスリーブ６の動作を抑え、組立を容易にする溝３３を有する。
【００４４】
ポールバスケット１の下側に、ロック要素１２を受けて外周１４方向に半径方向に係止できる構造があることが図１ｈの断面図からさらに分かる。
【００４５】
図１ａ〜１ｉ、図２及び図３による本発明の第１の好適な例示の実施形態は、硬質材料から製造される内部バスケット２を有し、バスケット領域２、３により形成されるバスケット面に放射状スポーク９を有する。環状の外部バスケットリング３も同様にスポーク９を有し、取り付けた状態で内部バスケット２のスポーク９の延長部を構成する。外部バスケットリング３を取り付けることで、内部バスケットリング２のガイド１１は同様に、外側に放射状に延長する。スポーク９の少なくとも１つは、ロック装置１２を有する。外部バスケットリング３を取り付けた後に、ロック装置１２を外部バスケットリング３を固定するためにガイド１１に沿って移動させる。このロック装置１２は、外部バスケットリング３の外周側から見た断面で図１ｃに、側面から見た図１ｈに示される。外部バスケットリング３を取り付けるために、外部バスケットリング３を同軸状に内部バスケット２に軸方向から配置し、外部バスケットリング突片１８（図３に示される）をそれぞれ内部バスケット突片２０の上又は下に来るまで回す（図２に示される）。次に外部バスケットリング３の回転位置を、ロック装置１２をリングの外周方向に放射状に作動させて固定する。このようにして外部バスケットリング３が内部バスケット２に対して回転するのを防ぐ。外部バスケットリング３を再度取り外すには、ロック装置１２をジョイント４の方向に放射状内側に作動させ、外部バスケットリング３を内部バスケット２上でポール軸Ａの周りに、係止動作が時計回りで行われる場合は反時計回りに回転し、逆の場合は逆に回転して、外部バスケットリング突片１８と内部バスケット突片２０が係合しないようにする。図３に示される外部バスケットリング３はその下側に平面状外周領域を有する。しかしながら、外部バスケットリング３は下側に歯状外周領域を有することもでき、歯は、下面へより良く密着するために下向きにする。
【００４６】
本発明の第２の例示の実施形態について、図４ａは、図４ｂに概略的に示される形状の係合要素を有する外部バスケットリング３を示す。この例示の実施形態によると、係合要素はピン２２として設計される。この例示の実施形態の場合のピン２２は、ピンヘッド２９及びピン本体３０を有するように形成することができる。しかしながら、他の例示の実施形態において、係合要素は他の（機能的に同一の）形状にすることもできる。
【００４７】
図４ａ及び４ｂに示される同じ例示の実施形態について、図４ｃは、硬質材料からなる内部バスケット２を示す。内部バスケット２は外周に沿って切り抜き部２３を有し、切り抜き部２３を通して、外部バスケットリング３のピン２２が係合し、ポール軸の周りに約３〜３０°の範囲に小さく回転して係合することができる。
【００４８】
図４ｄは、図４ｃの切り抜き部２３そのものを示す。この実施形態において、この切り抜き部は、図４ｂに概略的に示され、この実施形態では外部バスケットリング３上のピン２２（この例示の実施形態では、ピンヘッド２９及びピン本体３０を有する）である係合要素の直径ｄ３よりもやや大きい直径ｄ２のホール２４を有する。直径ｄ２は直径ｄ３よりも大きいが、ピンヘッド２９がホール２４をちょうど通り抜けられる程度である。このホール２４はまとまって溝２５となり、溝２５の幅ｂ３は外部バスケットリング３上のピンヘッド２９の直径ｄ３よりもわずかに小さい。複数の溝２５を内部バスケット２の外周に沿って円周状に配置する場合、全ての溝２５を円周方向で同じ向きにする必要がある。別の方法として溝２５を、まとまってホール２４となる長方形で形成することもできる。この溝は、ポール軸の周りの経路に沿うカーブした輪郭にすることもできる。
【００４９】
図５ａ〜ｆはジョイントスリーブ６上の環状溝８の種々な可能な例示の実施形態を示す。環状溝８は、好ましくは少なくとも一方の側で丸い又は角ばった隆起部２７によって形付けられる。開口環状溝８に係合するジョイント板１５はできるだけ摩擦なく、ただし良好なガイドで環状溝８に係合するために、好ましくはほぼ環状溝８に対応して設計され、より好ましくは環状溝８の形状に適合して設計される。すなわち、図５ｂの例示の実施形態が示すように、環状溝８がＶ形である場合、ジョイント板１５も環状溝８を補完するが、同様にその外周に沿ってＶ形である。環状溝８が、ポール軸Ａに対してほぼ直角に突出する環状基部２６を有する場合、ジョイント板１５も好ましくは角度を有するが丸くすることもできる。環状溝８は、少なくとも片側で、好ましくは半径方向外側で隆起部２７によって形付けられてもよく、基部２６と隆起部２７の連結部は直角でなくてもよい。図５にも概略的に示されるように、環状溝基部２６の角もまた丸くてもよい。
【００５０】
図６は、ポール軸を包含するボールを示し、その上にポールバスケットがスリーブ枠で押し付けられるボールを有する他の例示の実施形態を示す。ボールはポール軸の周りに自由に回転できるように、又は固定されて取り付けられるが、軸方向には動かすことができない。ポールバスケットに固定されるスリーブ枠はボールに「押し付ける」ことができ、ボールと係合する面において、スリーブはボールとほぼ同じ半径を有する。このように、ポールバスケットをポール軸の周りに自由に回転すること、及び傾斜軸に対して約１５０°、実際には約１００°の角度範囲で自由に傾けることの両方が可能となる。ポールが挿入されている場合、３６０°にわたるボールのほぼ円錐回転動作が可能となる。
【符号の説明】
【００５１】
１  ポールバスケット
２  内部バスケット
３  外部バスケットリング（取り付け具）
４  ジョイント
５  ポール枠
６  ジョイントスリーブ
７  ５のポールシャフト用開口
８  １５を収納する環状溝
９  放射状スポーク
１０  スポークにおける切り抜き部
１１  ガイド
１２  ロック装置
１３  ２と３の間の分離線
１４  リングの外周
１５  ジョイント板
１６  切り抜き部
１７  ジョイント開口
１８  外部バスケット突片
１９  ３における２の形状の切り抜き部
２０  内部バスケット突片
２１  アーチ状スロット
２２  ピン
２３  ２における切り抜き部
２４  ２におけるホール
２５  ２におけるスロット
２６  ８の基部
２７  ８の隆起部
２８  ２における溝
２９  ピンヘッド
３０  ピン本体
３１  スリーブ枠
３２  ボール
３３  スロット
Ａ  ポール軸及び回転軸
Ｂ  傾斜軸
ｄ１  ２５の幅
ｄ２  ２４の直径
ｄ３  ２９の直径
ｄ４  ３０の直径
ｄ５  ３の外径
ｂ１  ８の幅
ｂ２  １５の幅
【図１ａ）】
0005476124.tif 000002
【図１ｂ）】
0005476124.tif 000003
【図１ｃ）】
0005476124.tif 000004
【図１ｄ）】
0005476124.tif 000005
【図１ｅ）】
0005476124.tif 000006
【図１ｆ）】
0005476124.tif 000007
【図１ｇ）】
0005476124.tif 000008
【図１ｈ）】
0005476124.tif 000009
【図１ｉ）】
0005476124.tif 000010
【図２】
0005476124.tif 000011
【図３】
0005476124.tif 000012
【図４ａ）】
0005476124.tif 000013
【図４ｂ）】
0005476124.tif 000014
【図４ｃ）】
0005476124.tif 000015
【図４ｄ）】
0005476124.tif 000016
【図５ａ）】
0005476124.tif 000017
【図５ｂ）】
0005476124.tif 000018
【図５ｃ）】
0005476124.tif 000019
【図５ｄ）】
0005476124.tif 000020
【図５ｅ）】
0005476124.tif 000021
【図５ｆ）】
0005476124.tif 000022
【図６】
0005476124.tif 000023